(57)【要約】【課題】接触制御回路をディスプレーパネル内に布設することができ、それぞれ分けて組み付ける必要がなくなる、接触制御回路のあるディスプレーパネルを提供する。【解決手段】接触制御回路のあるディスプレーパネルであって、二枚の偏光板２１と、二枚の偏光板２１の互いに対応する一面にそれぞれ設けられている二枚のガラス基板２２と、二枚のガラス基板２２の偏光板２１に背向ける一面にそれぞれ設けられている二枚の透明導電層２３と、二枚の透明導電層２３の間に設けられている液晶層２４と、偏光板２１とガラス基板２２の間に布設され、かつガラス基板２２上に布設されている接触制御回路層２５と、を備える。【選択図】図２
2007188415.tif 000002
【特許請求の範囲】
【請求項１】
接触制御回路のあるディスプレーパネルであって、
二枚の偏光板と、
二枚の偏光板の互いに対応する一面にそれぞれ設けられている二枚のガラス基板と、
二枚のガラス基板の偏光板に背向ける一面にそれぞれ設けられている二枚の透明導電層と、
二枚の透明導電層の間に設けられている液晶層と、
偏光板とガラス基板の間に布設され、かつガラス基板上に布設されている接触制御回路層と、
を備えることを特徴とするディスプレーパネル。
【請求項２】
前記接触制御回路層は複数個の塗布回路を有し、その塗布回路はすべて前記ガラス基板の偏光板に面する一面に塗布されていることを特徴とする請求項１に記載のディスプレーパネル。
【請求項３】
前記接触制御回路層は液晶層の一側の偏光板とガラス基板の間に布設されていることを特徴とする請求項１に記載のディスプレーパネル。
【請求項４】
前記接触制御回路層は液晶層の別の一側の偏光板とガラス基板の間に布設されていることを特徴とする請求項１に記載のディスプレーパネル。
【請求項５】
接触制御回路のあるディスプレーパネルであって、
二枚の偏光板と、
二枚の偏光板の互いに対応する一面にそれぞれ設けられている二枚のガラス基板と、
二枚のガラス基板の偏光板に背向ける一面にそれぞれ設けられている二枚の透明導電層と、。
二枚の透明導電層の間に設けられている液晶層と、
液晶層両側の偏光板とガラス基板の間にそれぞれ布設されている二枚の接触制御回路層と、
を備えることを特徴とするディスプレーパネル。
【請求項６】
前記二枚の接触制御回路層中の一枚は複数個の塗布回路を有し、その塗布回路はすべて前記ガラス基板の偏光板に面する一面に塗布されていることを特徴とする請求項５に記載のディスプレーパネル。
【請求項７】
前記二枚の接触制御回路層はそれぞれ複数個の塗布回路を有し、その塗布回路はすべて前記ガラス基板の偏光板に面する一面に塗布されていることを特徴とする請求項５に記載のディスプレーパネル。
【請求項８】
各接触制御回路層内の塗布回路の塗布方向は、別の接触制御回路層内の塗布回路の塗布方向と互いに交差状を呈することを特徴とする請求項７に記載のディスプレーパネル。
【請求項９】
前記各接触制御回路層内の塗布回路の塗布方向は、別の接触制御回路層内の塗布回路の塗布方向と同じであることを特徴とする請求項８に記載のディスプレーパネル。
【発明の詳細な説明】
【技術分野】
【０００１】
本発明は接触制御回路のあるディスプレーパネルに関するもので、特に接触制御回路層を直接ディスプレーパネル内に布設して、接触制御回路を製作することに必要なガラス基板及び透明導電層等の材料を節約し、並びにディスプレーパネルと接触制御パネルを組み立てる手順が免れるディスプレーパネルに関する。
【背景技術】
【０００２】
科学技術の日進月歩により、情報、通信、電子等産業の発展が率い動かされ、それは機能上に於いて向上しているだけでなく、入力方式に於いてもますます多元な発展を表しているので、電子製品は伝統的入力装置（例えばキーボードまたはマウス）を使って入力または操作することに局限されなくなった。接触制御パネル(Touch Panel)の出現は伝統的装置の入力モードを変え、接触制御パネルの人間性入力介面の特性によって、ほとんどなんの指導、学習の必要もなく、直ちに直接指またはタッチペン等をもって画面上の機能指示どおりに選択を行うことができる。それは各種電子製品、例えば、掌型コンピュータ（Palm-Sized PC）、ＰＤＡ、情報家電（Information Appliannce）等に応用され、かつワークステーションの作業システム、問い合わせシステム、医療、公共情報、子供たちのパソコン補助学習及び教学等の用途に応用され、接触制御パネルの運用範囲は絶えず拡大し、市場のニーズも大幅に増加している。
【０００３】
接触制御パネルは導電ガラスと導電フィルムを利用して構成されたガラスパネルであり、それは接触制御パネルに設けられた配線及び回路板の制御ＩＣにより、ディスプレースクリーンの図像を現す位置に相対して接触制御パネルに接触して押し付ける方式をもって入力を行う装置である。電子製品に接触制御パネルが取り付けられると、直接接触制御パネルを使って入力を行うことができ、伝統的入力装置を取り付ける必要がなく、そうするとより多くのスペースを空かせることができ、より大きなディスプレーパネルを取り付けることができ、使用者の資料閲覧はより便利になる。
【０００４】
図１に示すように、従来のディスプレースクリーンに取り付けられる接触制御パネルはその接触制御パネル１０がディスプレースクリーンのパネル１１に取り付けられ、その接触制御パネル１０とパネル１１の間にはシート１２が設けられ、その接触制御パネル１０には酸化インジウム錫（ＩＴＯ）導電層を被覆した透明導電ガラス１０１（ＩＴＯガラス）及び酸化インジウム錫で作られた透明導電フィルム１０２（ＩＴＯフィルム）が含まれる。その透明導電ガラス１０１及び透明導電フィルム１０２上には網版印刷技術によって導電シルバーペーストをそれぞれ透明導電ガラス１０１及び透明導電フィルム１０２の周縁付近位置に印刷して必要な電気制御回路を形成し、その透明導電ガラス１０１から透明導電フィルム１０２には順番に絶縁層１０３、接着層１０４及び別の絶縁層１０５が設けられ、かつその透明導電ガラス１０１と透明導電フィルム１０２の間には間隔をおいて配列された複数個のドットスペーサ１０６が設けられている。
【０００５】
そのディスプレースクリーンは液晶ディスプレー(liquid crystal display,LCD）でもよく、そのパネル１１は液晶層１１１、二枚の透明導電層１１２（ＩＴＯ）、上偏光板１１３、下偏光板１１４、上ガラス基板１１５及び下ガラス基板１１６から構成され、その中、パネル１１の両面にはそれぞれ上偏光板１１３及び下偏光板１１４が設けられる。液晶層１１１はパネル１１内に設けられ、その液晶層１１１の両側にはそれぞれ透明導電層１１２が設けられ、その上ガラス基板１１５はその透明導電層１１２と上偏光板１１３の間に設けられ、下ガラス基板１１６はその透明導電層１１２と下偏光板１１４の間に設けられている。このようにディスプレー図像がそのパネル１１内から投射され、使用者がその接触制御パネル１０のディスプレースクリーンの図像に相対する位置に接触し押し付けると、直接に操作と入力を行うことができる。
【０００６】
ところが、このような従来のディスプレースクリーンに取り付けられた接触制御パネルに使用されるディスプレーパネル１１及び接触制御パネル１０、透明導電ガラス１０１、上ガラス基板１１５及び下ガラス基板１１６の材料はすべて同じであり、かつそのディスプレーパネル１１及び接触制御パネル１０はそれぞれ製造されてから加工によって一体に組み合わせられ結合する。そのために製造メーカが同時にディスプレーパネル１１及び接触制御パネル１０の製造を行う場合、より多くの製造材料を必要とするだけでなく、額外の製造設備の投資支出を増やさなければならない。またその接触制御パネル１０は設計の時点からディスプレーパネル１１の形状とサイズに折り合わせなければならず、並びにそのディスプレーパネル１１及び接触制御パネル１０が製造されてから更に両者の組み合わせ加工を行わなければならず、それは製造コストを大幅に増やし、かつ製造時間の遅延を導いて製造能率に影響する。従って、如何にして従来の技術を改善して製造時間とコストを低減するかが、各製造メーカが激しい市場競争に於いて突破しなければならない難しい課題である。
【発明の開示】
【発明が解決しようとする課題】
【０００７】
前述のディスプレーパネル及び接触制御パネルが別々に製造され、それから加工されなければならず、そのために製造コストが増える等多くの欠点に鑑み、本発明の発明者は関連産業に従事した経験を生かし、長期間の研究と実験を経た後、遂に本発明の接触制御回路のあるディスプレーパネルを開発設計することができ、本発明の提出によって従来技術に発生する欠点が改善されるよう期待する。
【０００８】
本発明の目的の一つは、接触制御回路のあるディスプレーパネルを提供するものであって、そのディスプレーパネル内には液晶層が設けられ、その液晶層の両側にはそれぞれ透明導電層が設けられ、その二枚の透明導電層の液晶層に背向ける一面にはそれぞれガラス基板が設けられ、その二枚のガラス基板の透明導電層から離れる一面にはそれぞれ偏光板が設けられており、その液晶層の任意の側の偏光板とガラス基板の間には接触制御回路層が設けられる。このように接触制御回路をディスプレーパネル内に布設することができ、それぞれ分けて組み付ける必要がなくなる。
【０００９】
本発明のもう一つの目的は、接触制御回路のあるディスプレーパネルを提供するものであって、それには二枚の偏光板が設けられ、その二枚の偏光板の互いに対応する一面にはそれぞれガラス基板が設けられ、その二枚のガラス基板の偏光板に背向ける一面にはそれぞれ透明導電層が設けられ、その二枚の透明導電層の間には液晶層が設けられており、そのディスプレーパネル内には更に二層の接触制御回路層が含まれ、その二層の接触制御回路層は液晶層の両側のその偏光板とガラス基板の間に布設される。このように、本発明の接触制御回路のあるディスプレーパネルの構造により、従来のように接触制御パネルとディスプレーパネルを別々に製造してから組み立てる必要がなく、製造コストと組み立てコストを大幅に低減することができる。
【課題を解決するための手段】
【００１０】
上述の目的を達成するための本発明の接触制御回路のあるディスプレーパネルは、そのディスプレーパネル内に液晶層が設けられ、その液晶層の両側にはそれぞれ透明導電層が設けられ、その二枚の透明導電層の液晶層に背向ける一面にはそれぞれガラス基板が設けられ、その二枚のガラス基板の透明導電層から離れる一面にはそれぞれ偏光板が設けられており、液晶層の任意の側の偏光板とガラス基板の間には接触制御回路層が設けられる。このように接触制御回路をディスプレーパネル内に布設することができ、それぞれ分けて組み付ける必要がなくなる。
【００１１】
また本発明の接触制御回路のあるディスプレーパネルには二枚の偏光板が設けられ、その二枚の偏光板の互いに対応する一面にはそれぞれガラス基板が設けられ、その二枚のガラス基板の偏光板に背向ける一面にはそれぞれ透明導電層が設けられ、その二枚の透明導電層の間には液晶層が設けられており、ディスプレーパネル内には更に二層の接触制御回路層が含まれ、その二層の接触制御回路層は液晶層の両側の偏光板とガラス基板の間に布設される。このように、本発明の接触制御回路のあるディスプレーパネルの構造により、従来のように接触制御パネルとディスプレーパネルを別々に製造してから組み立てる必要がなく、製造コストと組み立てコストを大幅に低減することができる。
【発明を実施するための最良の形態】
【００１２】
審査官各位に本発明の目的、技術特徴及びそれの効果を更に理解していただくため、ここに実施例を取り上げ、図面と合わせて次の如く詳しく説明する。
本発明の一実施例による接触制御回路のあるディスプレーパネルには、図２に示すように、二枚の偏光板２１が設けられ、その二枚の偏光板２１の互いに対応する一面にはそれぞれガラス基板２２が設けられ、その二枚のガラス基板２２の偏光板２１に背向ける一面にはそれぞれ透明導電層２３が設けられ、その二枚の透明導電層２３の間には液晶層２４が設けられ、その液晶層２４の任意の一側の偏光板２１とガラス基板２２の間には接触制御回路層２５が布設されている。上述構造により、接触制御回路層２５は直接ディスプレーパネル内に布設することができ、ディスプレーパネルの外に取り付ける必要がなく、製造及び組み立てのコストと時間を大幅に低減することができる。
【００１３】
再び図２、図３に示すように、本実施例に於いて、その接触制御回路層２５は偏光板２１とガラス基板２２の間に布設され、その接触制御回路層２５には複数個の塗布回路２５０が含まれ、それら塗布回路２５０はすべてそのガラス基板２２の偏光板２１に面する一面に塗布され、それは直接ＬＣＤ透明回路の加工設備をもって加工を行うことができる。それは従来の接触制御回路を製造することに必要な透明導電ガラス及び透明導電フィルム等の材料を節約することができ、かつ接触制御パネルとディスプレーパネルを別々に組み立てることに必要な時間を節約することができる。
【００１４】
図２、図４に示すように、本実施例に於いて、その接触制御回路層２５は液晶層２４の一側の偏光板２１とガラス基板２２の間に布設してもよいし、または液晶層２４の別の一側の偏光板２１とガラス基板２２の間に布設してもよい。
図５に示すように、本発明の別の実施例による接触制御回路のあるディスプレーパネル内には液晶層２４が設けられ、その液晶層２４の両側にはそれぞれ透明導電層２３が設けられ、その二枚の透明導電層２３の液晶層２４に背向ける一面にはそれぞれガラス基板２２が設けられ、その二枚のガラス基板２２の透明導電層２３に背向ける一面にはそれぞれ偏光板２１が設けられている。そのディスプレーパネル内には更に二層の接触制御回路層２５が含まれ、その二層の接触制御回路層２５はそれぞれ液晶層２４両側の偏光板２１とガラス基板２２の間に布設され、このように接触制御回路層２５をディスプレーパネル内に布設すれば、従来の接触制御回路を製造することに必要な透明導電ガラス及び透明導電フィルム等の材料を節約することができ、それと同時に別々に組み立てる必要がある、及びコストが増加するという困りごとから免れることができる。
【００１５】
図５、図８に示すように、本発明の実施例に於いて、その二層の接触制御回路層２５は偏光板２１とガラス基板２２の間に布設され、それはその中の一つの接触制御回路層２５に複数個の塗布回路２５０を塗布してもよく、それら塗布回路２５０はすべてそのガラス基板２２の偏光板２１に面する一面に塗布され、それは直接ＬＣＤ透明回路の加工設備によって加工することができる。
【００１６】
図５、図６に示すように、例えば、その二層の接触制御回路層２５にはともに複数個の塗布回路２５０が含まれ、それら塗布回路２５０はすべてそのガラス基板２２の偏光板２１に面する一面に塗布され、各接触制御回路層２５内のそれら塗布回路２５０の塗布方向は、別の接触制御回路層２５内のそれら塗布回路２５０の塗布方向と同じ方向を呈してもよい。
【００１７】
図５、図７に示すように、その各接触制御回路層２５内のそれら塗布回路２５０の塗布方向は、別の接触制御回路層２５内のそれら塗布回路２５０の塗布方向と交差方向を呈してもよく、このように、接触制御回路層２５を偏光板２１とガラス基板２２の間に布設することによって、額外に接触制御パネルを製作する必要がない。またそれはディスプレーパネルと接触制御パネルを組み付ける時間を免れるだけでなく、従来の接触制御回路を製作することに必要な透明導電ガラス及び透明導電フィルム等の材料を節約し、製造コストを大幅に低減することができる。
以上に述べたのは本発明の最適で具体的な実施例だけであり、本発明の構造特徴はこれに局限されず、いかなるこの技術を熟知するものが本発明の領域内で軽易に考え付く変化または飾り付けは、すべて本発明の特許範囲に含まれるものとさせていただく。
【図面の簡単な説明】
【００１８】
【図１】従来のディスプレースクリーンに取り付けられた接触制御パネルを示す模式図である。
【図２】本発明の一実施例による接触制御回路のあるディスプレーパネルを示す模式図である。
【図３】本発明の一実施例による接触制御回路層を示す模式図である。
【図４】本発明の一実施例による接触制御回路のあるディスプレーパネルを示す模式図である。
【図５】本発明の別の実施例による接触制御回路のあるディスプレーパネルを示す模式図である。
【図６】本発明の別の実施例による接触制御回路のあるディスプレーパネルを示す模式図である。
【図７】本発明の別の実施例による接触制御回路のあるディスプレーパネルを示す模式図である。
【図８】本発明の別の実施例による接触制御回路のあるディスプレーパネルを示す模式図である。
【符号の説明】
【００１９】
２１  偏光板、２２  ガラス基板、２３  透明導電層、２４  液晶層、２５  接触制御回路層、２５０  塗布回路
【図１】
2007188415.tif 000003
【図２】
2007188415.tif 000004
【図３】
2007188415.tif 000005
【図４】
2007188415.tif 000006
【図５】
2007188415.tif 000007
【図６】
2007188415.tif 000008
【図７】
2007188415.tif 000009
【図８】
2007188415.tif 000010